(57)【特許請求の範囲】
【請求項１】
水平面に対して斜めに傾斜させて張設される線状体に取り付けられて、蛇の登攀を防止する蛇登攀防止装置であって、
前記線状体から上方へ立ち上がると共に垂線が水平に対して下方に傾斜する立設面を備えた勾配形成板と、
この勾配形成板に対して前記線状体の軸方向下側に隣接して設けられると共に前記線状体の上側面に当接されるカバー部材と、
前記勾配形成板及び前記カバー部材が設けられる領域の線状体の下側面に前記線状体に沿って当接される固定具と、
前記勾配形成板と前記固定具、及び、前記カバー部材と前記固定具をそれぞれ着脱自在に結束する結束手段とを有して構成され、
前記カバー部材および前記勾配形成板の表面に蛇の登攀を妨害する蛇登攀妨害突起を備えることを特徴とする蛇登攀防止装置。
【請求項２】
前記結束手段は、前記線状体に前記勾配形成板と前記固定具、及び、前記カバー部材と前記固定具をそれぞれ一体に固定する結束バンドであり、前記勾配形成板及び前記カバー部材への前記結束バンドの取り付けは、それぞれに形成されたバンド挿通孔に前記結束バンドを挿通させることで取り付けられることを特徴とする請求項１記載の蛇登攀防止装置。
【請求項３】
前記勾配形成板と前記カバー部材とは、前記線状体の軸線に対して垂直となる方向で着脱可能に連結されていることを特徴とする請求項１又は２記載の蛇登攀防止装置。
【請求項４】
前記勾配形成板、前記カバー部材、及び前記固定具の前記線状体に取り付ける部分には、前記線状体の表面形状にあわせた嵌合溝が形成されていることを特徴とする請求項１乃至３のいずれかに記載の蛇登攀防止装置。
【請求項５】
前記勾配形成板には、風圧を軽減させる通孔が形成されている請求項１乃至４のいずれかに記載の蛇登攀防止装置。
【発明の詳細な説明】
【技術分野】
【０００１】
本発明は、電柱と地中との間に斜めに張設される支線等の線状体に取り付けられて蛇が登攀することを防止するために有用な蛇登攀防止装置に関する。
【背景技術】
【０００２】
蛇が電柱の上部の巣中にある卵や雛等を狙って支線を介して電柱によじ登り、その際に送電線や配電線に接触すると、地絡事故が発生して電力設備や電力供給先などに膨大な損害を与える恐れがある。このため、蛇の支線への登攀を防止する装置の開発が要請されており、従来においては、様々な蛇登攀防止装置が検討されている。
【０００３】
例えば、下記する特許文献１においては、電柱と地中との間に斜めに張設される支線の所要の高さ位置に、蛇害防止用粘着テープを周回状に取着し、さらに該蛇害防止用粘着テープより上方に碗形状に形成した登はん防止具を取り付け、蛇等が支線から電柱に登攀することを防止する構成が開示されている。
【０００４】
また、下記する特許文献２においては、蛇が滑りやすい平滑な平板をひねって形成されたひねり板を、電柱支線等の線状体に回転可能な取付片を介して取り付け、蛇の線状体への昇り防止効果を高めるようにした構成が開示されている。
【先行技術文献】
【特許文献】
【０００５】
【特許文献１】特開平５−２３１０４３号公報
【特許文献２】特開２００８−２８３８００号公報
【発明の概要】
【発明が解決しようとする課題】
【０００６】
しかしながら、前者の構成においては、蛇害防止用粘着テープを支線などの線状体の回りに粘着させるものであるので、長時間の風雨に晒されると剥離する不都合があり、一旦剥離すると再利用できないものであった。
【０００７】
しかも、登はん防止具は碗形状に形成されているので、その構造上、台風等の突風等の影響を受けやすく、破損する恐れがあり、破損した場合にはその破片が飛散して通行人に当たり、怪我させる恐れが懸念される。
【０００８】
また、後者の構成においては、平滑な平板で構成されたひねり板を回転可能に取り付けるものであるが、長時間の風雨や太陽光等にさらされるため、滑りやすい面の長期間に亘る維持が難しく、また、発錆や異物の付着等により回転しなくなる不都合が懸念される。
【０００９】
本発明は係る事情に鑑みてなされたものであり、粘着物や可動機構に頼ることなく着脱可能な静止構造のみで線状体への蛇の登攀を効果的に防止することができる蛇登攀防止装置を提供することを主たる課題としている。
【課題を解決するための手段】
【００１０】
ところで、蛇は、一般的に、図９の別表に示されるような登攀運動をすることが知られている。
すなわち、蛇は、
（１）  柱状立設体の中心軸が重力方向に対して前方へある程度傾いていれば、昇柱することが可能である。逆に、後方へある程度傾いていれば（蛇の背が下側にくるように傾いていれば）、昇柱することができない。
（２）  電柱の上下で隣り合う昇降金具が斜めにずれて取り付けられている場合には、下側の昇降金具に身体を引っ掛けて固定し、斜め上方の昇降金具へ頭部を伸ばし、この上方の昇降金具に頭部が到達すれば、その昇降金具に頭部側の身体を引っ掛け固定し、下方側の身体を引き上げ、以後、当該運動を繰り返して電柱を登攀していく。
（３）  電柱の上下で隣り合う昇降金具が鉛直線上に取り付けられている場合には、下側の昇降金具に辿り着いた蛇は、昇降金具に身体を引っ掛けて固定し、真上の昇降金具に頭部を伸ばす。この際、蛇は、蛇行しながら腹鱗（腹板）を電柱表面の微細な凹凸部に引っ掛け、折れ曲がっている身体を徐々に伸ばしていき、頭部が、次の昇降金具に到達すれば、その昇降金具に身体を引っ掛けて固定し、下方側の身体を引き上げ、以後、当該運動を繰り返して電柱を登攀していく。
（４）  壁面に存在する多数の突起に，蛇の体表を覆っている多数の腹鱗（腹板）を引掛け，それを支えとして登っていく。尚、直径が０．０５〜１［ｍｍ］程度の微細な球形状のものには腹鱗（腹板）を係合させることができない。
（５）  長い胴体をＳ字型に湾曲させ，壁面の突起物の間に体を突張らせて体を支えることにより登る。
（６）  腹部の中央を窪ませて吸盤状とすることにより体を支えて登る。
【００１１】
本発明者は、このような蛇の登攀習性を把握した上で、物理的な静止構造のみで蛇の線状体への登攀を効果的に防止できる防止装置について鋭意研究を重ねた結果、蛇の登攀を防止するためには、図９の別表で示す（１）に対する対策と、（４）又は（６）のいずれかに対する対策とを併せ持つようにすれば、線状体に対して非常に優れた登攀防止が図れるとの知見を見出し、本発明を完成させるに至った。尚、本件は支線に対する蛇の登攀を防止する装置に関するものであるため、図９の別表で示す（２），（３），（５）について考慮する必要はない。
【００１２】
すなわち、本発明に係る蛇登攀防止装置は、水平面に対して斜めに傾斜させて張設される線状体に取り付けられて、蛇の登攀を防止する蛇登攀防止装置であって、前記線状体から上方へ立ち上がると共に垂線が水平に対して下方に傾斜する立設面を備えた勾配形成板と、この勾配形成板に対して前記線状体の軸方向下側に隣接して設けられると共に前記線状体の上側面に当接されるカバー部材と、前記勾配形成板及び前記カバー部材が設けられる領域の線状体の下側面に前記線状体に沿って当接される固定具と、前記勾配形成板と前記固定具、及び、前記カバー部材と前記固定具をそれぞれ着脱自在に結束する結束手段とを有して構成され、前記カバー部材および前記勾配形成板の表面に蛇の登攀を妨害する蛇登攀妨害突起を備えることを特徴としている。
【００１３】
したがって、勾配形成板には、線状体から上方へ立ち上がると共に垂線が水平に対して下方に傾斜する立設面が設けられ、かつ、その表面には蛇の登攀を妨害する蛇登攀妨害突起を備えているので、前記図９の（１），（４）および（６）に対する対策が講じられており、また、勾配形成板に対して線状体の軸方向下側には、蛇の登攀を妨害する蛇登攀妨害突起を適所に適切な間隔で表面に備えたカバー部材が付設されているので、前記図９の（４）および（６）に対する対策が講じられている。このため、それぞれの物理的な静止構造による登攀防止機能により蛇の登攀が防止され、仮に、一方の登攀防止機能が不十分であっても、他方の登攀防止機能によって蛇の登攀を防止することが可能となる。
【００１４】
また、勾配形成板やカバー部及び固定部材は、線状体に対して着脱可能に取り付けられ、また、ネットもネット取付具および勾配形成板に対して着脱自在に取り付けられるので、これら勾配形成板、カバー部材、及び固定部材の再利用が可能となる。
【００１５】
ここで、蛇登攀妨害突起は、直径０．５〜１ｍｍの半球状の突起を設けることが有用であり、また、カバー表面に対して約２ｍｍのピッチで（突起と突起とが約１ｍｍの間隔を開けて）全表面に対して設けられるとよい。さらに、柱状立設体への勾配形成板、カバー部材及びネットの取り付け位置は、地表面から１８０ｃｍの範囲にするとよい。
【００１６】
前記結束手段は、前記線状体に前記勾配形成板と前記固定具、及び、前記カバー部材と前記固定具をそれぞれ一体に固定する結束バンドで構成し、前記勾配形成板及び前記カバー部材への前記結束バンドの取り付けは、勾配形成板やカバー部材の表面に凹凸を形成して蛇の登攀を許容しないように、それぞれに形成されたバンド挿通孔に結束バンドを挿通させることで取り付けるとよい。
【００１７】
また、勾配形成板とカバー部材との間に隙間が形成されないようするために、勾配形成板とカバー部材とを線状体の軸線に対して垂直となる方向で着脱可能に連結するとよい。
【００１８】
尚、前記勾配形成板、前記カバー部材、及び前記固定具の前記線状体に取り付ける部分には、前記線状体の表面形状にあわせた嵌合溝が形成されることが望ましい。このような構成を採用することで、勾配形成板やカバー部材、固定具の線状体への取り付け作業が容易となり、また、線状体に対してネット取付具や勾配形成板を回転させることなくしっかり固定することが可能となる。
【００１９】
また、前記勾配形成板に、風圧を軽減させる通孔を形成しておくとよい。勾配形成板が大きくなると、風圧の影響を受けやすくなり、勾配形成板の固定状態の劣化が懸念されるが、勾配形成板に通孔を形成しておくことで、風圧による影響を低減でき、耐久性を高めることが可能となる。
【発明の効果】
【００２０】
以上述べたように、本発明に係る蛇登攀防止装置によれば、線状体から上方へ立ち上がると共に垂線が水平に対して下方に傾斜する立設面を備えた勾配形成板と、この勾配形成板に対して前記線状体の軸方向下側に隣接して設けられると共に線状体の上側面に当接されるカバー部材と、勾配形成板及びカバー部材が設けられる領域の線状体の下側面に線状体に沿って当接される固定具とを備え、勾配形成板と固定具、及び、カバー部材と固定具をそれぞれ結束手段により着脱自在に結束するようにし、カバー部材の表面に蛇の登攀を妨害する蛇登攀妨害突起を設けたので、物理的な静止構造のみで複数の登攀防止機能を持たせることができ、蛇の線状体への登攀を効果的に防止することが可能となる。
しかも、蛇登攀防止装置を構成する勾配形成板、カバー部材、および固定具は線状体に対して着脱可能に取り付けられるので、蛇登攀防止装置を構成する各部材の再利用が可能となる。
【００２１】
また、結束手段を結束バンドで構成し、この結束バンドを用いて、線状体に、勾配形成板と固定具とを、また、カバー部材と固定具とをそれぞれ一体に固定する場合において、結束バンドを勾配形成板及びカバー部材に形成されたバンド挿通孔に挿通させる構成とすることで、勾配形成板やカバー部材の表面に結束バンドを取り付けるための凹凸が不要となるので、結束手段を設けたことによる蛇の登攀の可能性を防止することが可能となる。
【００２２】
また、勾配形成板とカバー部材とを線状体の軸線に対して垂直となる方向で着脱可能に連結する構成とすることで、勾配形成板とカバー部材との間に隙間が形成されることがなくなると共に、勾配形成板とカバー部材との位置決めが容易になると共に、強固な固定状態を維持することが可能となる。
【００２３】
尚、勾配形成板、カバー部材、及び固定具の線状体への取り付け部分に、線状体の表面形状にあわせた嵌合溝を形成することで、勾配形成板やカバー部材、固定具の線状体への取り付け作業が容易となり、また、線状体に対して勾配形成板やカバー部材、固定具の回転を防止でき、強固な固定状態を得ることが可能となる。
【００２４】
さらに、勾配形成板に風圧を軽減させる通孔を形成することにより、風圧の影響を受けにくくすることができ、勾配形成板の固定状態の劣化を抑えて、耐久性を高めることが可能となる。
【図面の簡単な説明】
【００２５】
【図１】図１は、本発明に係る蛇登攀防止装置を電線の支線に取り付けた例を示す図である。
【図２】図２は、本発明に係る蛇登攀防止装置の全体構成を示す図であり、（ａ）は蛇登攀防止装置の取り付け状態を示す斜視図であり、（ｂ）は（ａ）のＡ−Ａ線から見た図である。
【図３】図３は、勾配形成板を示す図であり、（ａ）はその側面図、（ｂ）は支線の軸方向から見た図、（ｃ）はその平面図である。
【図４】図４は、支線を示す斜視図である。
【図５】図５は、カバー部材を示す図であり、（ａ）はその側面図、（ｂ）は支線の軸方向から見た図、（ｃ）はその底面図である。
【図６】図６は、カバー部材の表面に設けられる蛇登攀妨害突起の例を示す図であり、（ａ）はその平面図、（ｂ）はその側面図である。
【図７】図７は、固定具を示す図であり、（ａ）はその側面図、（ｂ）は支線の軸方向から見た図、（ｃ）はその平面図である。
【図８】図８は、支線に対して蛇登攀防止装置を取り付ける過程を説明する斜視図である。
【図９】図９は、蛇の登攀運動を示す表である。
【発明を実施するための形態】
【００２６】
以下、本発明に係る蛇登攀防止装置の実施形態を添付図面を参照しながら説明する。この例では、線状体として、送電線や配電線の電柱と地中との間に斜めに張設される支線を用いた場合を示し、蛇としては、体長２ｍ、立ち上がる能力を体長の３／４（１．５ｍ）とした場合を想定する。
【００２７】
図１及び図２において、蛇登攀防止装置１は、電柱２の支線３から上方へ立ち上がる勾配形成板４と、この勾配形成板４に対して支線３の軸方向下側に隣接して設けられると共に支線３の上側面に当接されるカバー部材５と、支線３の勾配形成板４及びカバー部材５が設けられた領域部分において、支線３の下側面に沿って当接された固定具６と、勾配形成板４と固定具６とを着脱自在に固定し、及び、カバー部材５と固定具６とをそれぞれ着脱自在に結束する結束手段とを有して構成されている。
勾配形成板４は、硬質の合成樹脂などによって構成され、図３にも示されるように、支線３から上方へ立ち上がると共に垂線が水平に対して下方に傾斜する立設面を備えているもので、支線３に固定される支線固定部４ａと、この支線固定部４ａから立設された板状部４ｂとから構成されている。支線固定部４ａの支線３と接触させる底面には、支線３の表面形状にあわせた螺旋状の嵌合溝１０が形成されている。一般に、支線３は、図４に示されるように、直径２ｍｍの亜鉛メッキ鋼線を用いて、中心に１本、その回りに６本配設して撚った直径６ｍｍのより線によって構成され、したがって、嵌合溝１０は、このより線の表面形状に合わせて螺旋状の凹凸形状に形成され、勾配形成板４は、支線３の径（６ｍｍ）より大きい厚みに形成されている。
【００２８】
板状部４ｂは、支線固定部４ａから略垂直に立ち上がる立設面１１を備えた直角三角形状に形成されているもので、この例では、立設面１１の高さを約３０ｃｍとし、中央には、風圧を低減するための断面円形状の通孔１２が形成されている。
【００２９】
通常の電柱２の支線３においては、水平面に対する傾斜角が４５°〜６０°程度に傾斜しており、したがって、勾配形成板４を支線３の上側面に立設させるように取り付けると、板状部４ｂの立設面１１は、その垂線が水平に対して下方に傾斜する立設面を形成するようになっている。
【００３０】
さらに、勾配形成板４の嵌合溝１０より上方に位置する部位には、この勾配形成板４を支線３に固定するための結束バンド１３を挿通させるバンド挿通孔１４が、支線３の軸方向に沿って所定の間隔で２つ形成されている。また、勾配形成板４の立設面１１には、カバー部材５と対峙する部位に、立設面１１から遠ざかるほど幅広となるくさび状の連結雄部１５が突設されている。
また、勾配形成板４の立設面１１を含む表面には、後述する蛇登攀妨害突起２０が設けられている。
【００３１】
カバー部材５は、硬質の合成樹脂などによって構成され、図５にも示されるように、断面弧状の長尺状に形成され、合成樹脂やステンレス等で構成された結束バンド１３によって支線３の上側面に該支線３に沿って着脱可能に固定させるもので、支線３と接触させる底面には支線３の表面形状にあわせた嵌合溝１６が形成されている。この嵌合溝１６も、支線３のより線の表面形状に合わせて螺旋状の凹凸形状に形成されている。
【００３２】
また、カバー部材５には、嵌合溝１６より外側でカバー部材５の周面よりも内側の部分に結束バンド１３を挿通させる弧状のバンド挿通孔１７が形成されている。このバンド挿通孔１７は、結束バンド１３の厚みと幅を見越して結束バンド１３がスムーズに挿通できるように形成されているもので、この例では、カバー部材５の両端近傍と中央の３ヶ所に形成されている。
【００３３】
さらに、カバー部材５の一端には、嵌合溝１６からさらに上方へ凹ませて形成された連結雌部１８が形成されている。この連結雌部１８は、連結雄部１５の形状に対応してカバー部材５の一端から遠ざかるほど幅広となるくさび状の凹みに形成されており、連結雄部１５が嵌合溝が形成されている下側から上方に向かって嵌合させると、カバー部材５の軸方向に離脱できないように組み付けられるようになっている
【００３４】
この例において、カバー部材５は、全長（長手方向の寸法）が１ｍ程度に形成され、嵌合溝１６や連結雌部１８が形成されても強度が十分に保たれるように、断面が半径２．５ｃｍ程度の半円形状に形成されている。
また、このカバー部材５の弧状表面の全体には、蛇の登攀を妨害する以下に述べる蛇登攀妨害突起２０が設けられている。
【００３５】
勾配形成板４及びカバー部材５の表面に形成される蛇登攀妨害突起２０は、図６に示されるように、直径０．５〜１．０ｍｍの半球状の突起に形成することが好ましく、接着剤等の樹脂を後付けすることにより、或いは線材の成形時に予め一体的に成形することなどにより形成されている。
この例において、蛇登攀妨害突起２０は、図５に示されるように、直径１ｍｍ程度の半球状の突起に形成され、カバー部材５の表面に対して約２ｍｍのピッチで（突起と突起とが約１ｍｍの間隔を開けて）全面に設けられている。
【００３６】
固定具６は、硬質の合成樹脂などによって構成され、図７にも示されるように、断面弧状の長尺状に形成されているもので、支線３と接触する上面には、カバー部材５と同様に、支線３の表面形状にあわせたらせん状の嵌合溝２１が形成されている。この固定具６は、勾配形成板４とカバー部材５が取り付けられる領域の支線３の下側面に設けられるもので、勾配形成板４とカバー部材５とを連結させた長さ（１．２〜１．３ｍ程度）に形成され、また、カバー部材５との間に間隙が形成されるように、断面が半径約１．５ｃｍ、中心角約１２０度の扇状に形成され、結束バンド１３で前記勾配形成板４及びカバー部材５と共に支線３に着脱可能に固定されるようになっている。
【００３７】
固定具６の弧状表面には、結束バンド１３を取り付けるための周方向に延びる凹部２２ａ〜２２ｅが形成されている。この例においては、勾配形成板４のバンド挿通孔１４の位置に対応して支線の軸方向で所定の間隔をあけて２つの凹部２２ａ，２２ｂが形成され、また、カバー部材５のバンド挿通孔１７の位置に対応して支線の軸方向で所定の間隔をあけて３つの凹部２２ｃ〜２２ｅが形成されている。ここで用いられる固定具６は、中心角が約１２０度の弧状に形成されており、それぞれの凹部２２ａ〜２２ｄは、結束バンド１３のみを嵌め入れる程度の深さに形成された円弧状に形成されている。
【００３８】
したがって、固定具６に形成された２ヶ所の凹部２２ａ，２２ｂとバンド挿通孔１４に取り付けられる結束バンド１３によって勾配形成板４が固定具６と共に支線３に着脱可能に固定され、また、固定具６に形成された３ヶ所の凹部２２ｃ〜２２ｅとバンド挿通孔１７に取り付けられる結束バンド１３によってカバー部材５が固定具６と共に支線３に着脱自在に取り付けられるようになっている。
【００３９】
尚、上述した蛇登攀防止装置１の支線３への取り付け位置は、地表から約１．８ｍまでの範囲に取り付けられている。
【００４０】
以上の構成において、蛇登攀防止装置１を支線３に取り付けるには、図８に示されるように、先ず、勾配形成板４とカバー部材５とを、支線３の上方から上側面に当接させる。この際、勾配形成板４を先に支線３の上側面へ当接させ、その後、勾配形成板４の連結雄部１５が連結雌部１８に嵌合するように、カバー部材５を勾配形成板４に対して支線３の軸方向下側に隣接して当接させる。しかる後に、連結された勾配形成板４とカバー部材５が当接されている支線３の領域に対して、支線３の下方から固定具６を支線３の下側面に当接させ、この状態で、結束バンド１３を勾配形成板４のバンド挿通孔１４に挿通させると共に固定具６の凹部２２ａ，２２ｂに係止させて、勾配形成板４と固定具６とを支線３に対して強く回し留め、また、結束バンド１３をカバー部材５のバンド挿通孔１７に挿通させると共に固定具６の凹部２２ｃ〜２２ｅに係止させて、カバー部材５と固定具６とを支線３に対して強く回し留める。この際、カバー部材５と固定具６との間には間隙が形成されているので、結束バンド１３の締め付け力を大きくすることが可能となる。
【００４１】
したがって、このように構成された蛇登攀防止装置１によれば、勾配形成板４の立設面１１がその垂線を水平に対して下方に傾斜するように設けられているので、図９の（１）に対する対策が講じられており、蛇の登攀を防止することが可能となる。また、カバー部材５の表面には、蛇の登攀を妨害する蛇登攀妨害突起２０が全面に適切な間隔で設けられているので、図９の（４）および（６）に対する対策が講じられており、この点においても、蛇の登攀を防止することが可能となる。
【００４２】
このため、それぞれの物理的な静止構造による登攀防止機能により蛇の登攀を防止することが可能となり、仮に、いずれかの登攀防止機能が不十分であっても、残りの登攀防止機能により蛇の登攀を防止することが可能となる。
【００４３】
さらに、勾配形成板４やカバー部材５は、固定具６と共に支線３を挟みつけるように結束バンド１３で支線３に着脱自在に固定されているので、強固な固定状態を確保しつつ、除去したい場合には、結束バンド１３を除去することで容易に除去することが可能となり、勾配形成板４や、カバー部材５及び固定具６の再利用が可能となる。また、可動機構を有しないので、故障の心配もなく、粘着物や可動機構に頼らない物理的な静止構造のみで蛇の登攀を防止できるので、耐久性に優れたものとなる。
【００４４】
特に、上述の構成においては、結束バンドの勾配形成板及びカバー部材への取り付けは、バンド挿通孔に結束バンドを挿通させることで行われるので、勾配形成板やカバー部材の表面に無駄な凹凸が形成されて蛇の登攀が許容されることがなくなる。しかも、勾配形成板とカバー部材とは、勾配形成板の連結雄部とカバー部材の連結雌部とを嵌合させることでこれら勾配形成板とカバー部材との間に隙間が形成されないように連結されているために、勾配形成板とカバー部材とを間に隙間が形成されて蛇が登攀することを防止することが可能となる。
【００４５】
さらに、勾配形成板４、カバー部材５、及び固定具６の支線３に取り付ける部分には、支線３の表面形状にあわせた嵌合溝１０，１６，２１が形成されているので、勾配形成板４やカバー部材５、固定具６の支線３への取り付け作業が容易となり、また、支線３に対してこれら勾配形成板４、カバー部材５、固定具６を回転させることなくしっかり固定することが可能となる。
また、勾配形成板４に、風圧を軽減させる通孔１２が形成されているので、勾配形成板４が大きくなると、風圧の影響を受けやすくなり、勾配形成板４の固定状態の劣化が懸念されるが、通孔１２によって風圧による影響を低減でき、耐久性を高めることが可能となる。
【００４６】
尚、上述の構成においては、勾配形成板４（板状部４ｂ）を三角形状（直角三角形状）に形成した場合を示したが、垂線が水平面に対して下方に傾斜された面を有する形状であればよく、例えば、勾配形成板４（板状部４ｂ）を矩形状等に形成してもよい。また、勾配形成板４に形成される通孔１２も上述した構成に限定されるものではなく、多角形状に形成したり、複数形成するようにしてもよい。
【００４７】
さらに、上記構成例においては、勾配形成板４とカバー部材５とを連結させるために、勾配形成板４に連結雄部１５を設け、カバー部材５に連結雌部１８を設けた例を示したが、カバー部材５に連結雄部を設け、勾配形成板４に連結雌部を設けるようにしてもよい。
【符号の説明】
【００４８】
１  蛇登攀防止装置
３  支線
４  勾配形成板
５  カバー部材
６  固定具
１０、１６、２１  嵌合溝
１１  立設面
１２  通孔
１３  結束バンド
１４，１７  バンド挿通孔
１５  連結雄部
１８  連結雌部
２０  蛇登攀妨害突起
【図１】
0005420428.tif 000002
【図２】
0005420428.tif 000003
【図３】
0005420428.tif 000004
【図４】
0005420428.tif 000005
【図５】
0005420428.tif 000006
【図６】
0005420428.tif 000007
【図７】
0005420428.tif 000008
【図８】
0005420428.tif 000009
【図９】
0005420428.tif 000010